(57)【要約】  【課題】  電気配線を伴った機能部品を蓋体の裏面側に組み込んでも奥行き寸法を増大させることがない蓋体を備えた電子楽器を提供する。  【解決手段】    複数の演奏操作子４を楽器本体２に備え、この演奏操作子を覆う蓋体３を備えた電子楽器において、この蓋体３は、前蓋部３１と後蓋部３２とに分割して構成され、分割された分割位置にヒンジ部３３を設け、このヒンジ部３３を介して互いに回動自在に連結されてなり、前蓋部３１は、蓋体３の閉蓋時にヒンジ部３３より内側に位置するように設けられた回動支点部３４を備え、この回動支点部３４が、楽器本体内に固定された回動支持部４０により回動自在に支持されており、前蓋部３１の自由端とヒンジ部３４とを結ぶ上面、及び自由端と回動支点部３４とを結ぶ下面の間に形成される前蓋部３１の内部空間内に、電気配線を伴った機能部品を配設した。【選択図】  図１
2004302426.tif 000002
【特許請求の範囲】
【請求項１】
複数の演奏操作子を楽器本体に備え、この演奏操作子を覆う蓋体を備えた電子楽器であって、
前記蓋体は、第１蓋構成部材と第２蓋構成部材とに分割して構成され、分割された分割位置にヒンジ部を設け、該ヒンジ部を介して互いに回動自在に連結されてなり、
前記第１蓋構成部材は、前記蓋体の閉蓋時に前記ヒンジ部より内側に位置するように設けられた回動支点部を備え、
前記回動支点部が、前記楽器本体内に固定された回動支持部により回動自在に支持されており、
前記第１蓋構成部材の自由端と前記ヒンジ部とを結ぶ上面、及び前記自由端と前記回動支点部とを結ぶ下面の間に形成される前記第１蓋構成部材の内部空間内に、電気配線を伴った機能部品を配設したことを特徴とする電子楽器。
【請求項２】
前記上面及び下面が前記第１蓋構成部材の先端に近づくにつれて互いに接近し、前記第１蓋構成部材は先端に行くに従って、厚みが薄くなっていることを特徴とする請求項１に記載の電子楽器。
【請求項３】
前記下面に対して裏蓋等の下面部を形成するとともに、前記上面および下面が前記第１蓋構成部材の後方へ移行するにつれて離間し、
前記第１蓋構成部材後端部において、前記上面及び下面が前記ヒンジ部と前記回動支点部とで規定される厚みまで離間するように構成し、
前記自由端と前記ヒンジ部との距離の半分より後方に前記機能部品を配設するようにしたことを特徴とする請求項１に記載の電子楽器。
【請求項４】
前記第１蓋構成部材の下面に前記機能部品を保護する保護部材を設けたことを特徴とする請求項１から３のいずれかに記載の電子楽器。
【請求項５】
前記保護部材に、前記機能部品を固着したことを特徴とする請求項４に記載の電子楽器。
【請求項６】
前記機能部品は、ディスプレイ装置であることを特徴とする請求項１から５のいずれかに記載の電子楽器。
【請求項７】
前記機能部品は、音響発生装置であることを特徴とする請求項１から５のいずれかに記載の電子楽器。
【発明の詳細な説明】
【技術分野】
【０００１】
本発明は、電子ピアノ、電子オルガン等の電子鍵盤楽器に代表される電子楽器に関するものである。本発明を適用し得る電子楽器としては、電子ピアノ、電子オルガン等の電子鍵盤楽器の他、アコースティックピアノ、パイプオルガン、チェンバロ、チェレスタ等、鍵盤や楽音制御用操作子を備えた楽器が含まれる。アコースティック系の鍵盤楽器においても、近年、演奏記録再生装置や押鍵指示等の演奏支援装置を搭載したものが増加しており、これらの制御用操作子等の、厚みを有する機能部品を蓋体に内装する上で、本発明は有用である。
【背景技術】
【０００２】
この種の電子鍵盤楽器では、音色等の操作子からなる電気部品を配設した操作パネルを鍵盤蓋体の内面に一体的に形成したものがある（例えば、特許文献１参照）。この電子鍵盤楽器では、操作パネルが蓋体の機能を備えているので、蓋体の後端部を楽器本体に対して回動自在に保持して、演奏時は開蓋状態で操作パネルの操作子にて各種楽音パラメータを設定し得るようにしている。
【特許文献１】実開昭６０−１２２９８９号公報
【発明の開示】
【発明が解決しようとする課題】
【０００３】
この楽器では、蓋機能以外に操作パネル機能を蓋体そのものに備えるため、必然的にその厚みを増す。その結果、鍵盤操作面から鍵盤部左右端部に配設したスピーカの上面位置までに隔たりがあり、音高が跳躍するダイナミックな速いパッセージを有する楽曲を演奏する場合には、手や指がスピーカ部の側面に当たることがあり、演奏性を低下させている。そこで、拍子木部の幅を大きくとることも考えられるが、そうすると、楽器全体幅がさらに長くなる。
【０００４】
また、この従来の楽器では、回動支点部を大きくすることによって蓋回動の安定性と剛性とを出している。さもなければ、蓋体が立設時に安定しない。またさらに、厚みのある蓋体をそのまま立設させようとすると、その厚さ分を受け入れるスペースが鍵盤蓋体の後方に必要となるため、電子鍵盤楽器をコンパクトに形成することができないのみならず、外観を大きく損ねるという問題もあった。
【０００５】
本発明は、このような問題を解決し、電気配線を伴った機能部品を蓋体の裏面側に組み込んでも奥行き寸法を増大させることがない蓋体を備えた電子楽器を提供することを目的とする。
【課題を解決するための手段】
【０００６】
本発明は、前述のような課題を解決するため、複数の演奏操作子を楽器本体に備え、この演奏操作子を覆う蓋体を備えた電子楽器であって、前記蓋体は、第１蓋構成部材と第２蓋構成部材とに分割して構成され、分割された分割位置にヒンジ部を設け、該ヒンジ部を介して互いに回動自在に連結されてなり、前記第１蓋構成部材は、前記蓋体の閉蓋時に前記ヒンジ部より内側に位置するように設けられた回動支点部を備え、前記回動支点部が、前記楽器本体内に固定された回動支持部により回動自在に支持されており、前記第１蓋構成部材の自由端と前記ヒンジ部とを結ぶ上面、及び前記自由端と前記回動支点部とを結ぶ下面の間に形成される前記第１蓋構成部材の内部空間内に、電気配線を伴った機能部品を配設したことを特徴とする電子楽器を提供するものである。
【０００７】
このような電子楽器の構成によると、回動支点部がヒンジ部材よりも内側に設けられ、これを中心として第１蓋構成部材が回動するため、第１蓋構成部材の回動領域を奥行き方向について小さくすることができ、楽器本体の奥行き方向のスペースを小さくすることが可能となる。したがって、本発明のように、第１蓋構成部材の内部に電気配線を伴った機能部品を組み込んでいても、奥行き方向をコンパクトにした電子楽器を形成することができる。
【０００８】
ここで、前記上面及び下面が前記第１蓋構成部材の先端に近づくにつれて互いに接近し、前記第１蓋構成部材は先端に行くに従って、厚みが薄くなるようにする、次の利点がある。すなわち、第１蓋構成部材の先端を薄く形成しているため、鍵盤蓋体の重量が軽くなり、蓋重量による回転モーメントが抑えられ、鍵盤蓋体の開閉動作を補助的に支持する蓋支持力を小さくすることができる。そのため、蓋体を滑らかに開閉するようにする支持力の調整作業が容易になるとともに、軽い力で蓋体を開くことができる。
【０００９】
さらに、蓋体がその先端に向かって先細りとなる形状であるため、蓋体を閉じた際に電子楽器の前面厚さが小さく抑えられるため、電子楽器の前に対座した演奏者に対して圧迫感を与えることがない。また、電子楽器の前面厚さを小さく抑えることで、蓋体を開く際に必要な空間がコンパクトになるため、電子楽器本体の奥行きをコンパクトに設計しても、蓋体を十分広く開くことができる。
【００１０】
また、上記電子楽器において、前記第１蓋構成部材の自由端と前記ヒンジ部とを繋ぐ面を表蓋とし、前記自由端と前記回動支点部とを繋ぐ面を裏蓋とする２面蓋で前記第１蓋構成部材を構成し、該２面蓋内に電気部品を配設するとともに、前記第２二構成部材を、電気部品を配設し得ない程度の薄型に構成することもできる。
【発明の効果】
【００１１】
以上のように、本発明に係る電子楽器によれば、電子楽器の蓋体内部に電子部品や電気配線を伴った機能部品を組み込んでも、その開蓋時に後方に突出することがないため、奥行きをコンパクトにした電子楽器を提供することができる。また、閉蓋時に蓋体後方の不要なスペースが無くなるため、外観を損ねることのない電子楽器を提供することができる。
【発明を実施するための最良の形態】
【００１２】
（第１の実施形態）
図１〜３は、本発明に係る電子楽器の一例である電子鍵盤楽器の縦断側面図であり、図１は蓋体を閉じた状態、図２は蓋体を開いた状態、図３はその中間の状態を示している。また、図４は開いた状態の蓋体の部分拡大図である。なお、本明細書中では電子鍵盤楽器において、演奏者側を「前」、背板側を「後」と称し、「右」及び「左」で指す方向は、前記演奏者側から見た方向であるものとする。
【００１３】
図１〜３に示すように、電子鍵盤楽器１は、楽器本体２及びその上面に配置された蓋体３を備えている。楽器本体２は、演奏操作子としての鍵盤４（白鍵４ａ、黒鍵４ｂ）、底部を形成する棚板５、その前端の口棒６、背板７、左右一対の側板８、上部を覆う天板９、メインスピーカ１３を収容したスピーカボックス１４，前記棚板５から下方へ延びた脚１９によって、略箱形に形成されている。また、楽器本体２の内部には、図示を省略するが、楽音の制御装置やそのためのスイッチまたはコントローラ、電源装置、接続端子等が装着されている。なお、本発明において、「演奏操作子」とは、鍵盤のみならず、楽音制御のためのスイッチ等の操作子全般を表すが、本実施形態では単に鍵盤４のみを示すものとする。
【００１４】
蓋体３は、前記演奏操作子を覆うカバー部材として作用し、その前後方向の中間部において前蓋部（第１蓋構成部材）３１及び後蓋部（第２蓋構成部材）３２に分割して構成された蓋集合体である。この蓋集合体としての蓋体３は、前蓋部３１及び後蓋部３２を備える基本構成とし、後述する結合部材や機能部品、保護部材等が適宜組み込まれて構成される。前蓋部３１及び後蓋部３２は、互いの外面に取り付けられたヒンジ部材（ヒンジ部）３３によって、互いの上面を対向させる向きに回動自在となるように連結されている。前蓋部３１は、閉状態において、上側に位置し、前蓋部３１の先端（自由端）とヒンジ部材３１とを結ぶ上面３１ａ、上面３１ａの先端から垂直に延びる先端面３１ｂ、及び下側に位置し前蓋部３１の先端と後述する回動支点部３４とを結ぶ下面３１ｃを備えており、鍵盤全体を覆うように左右方向に延設して形成されている。そして、上面３１ａと下面３１ｃとの間に形成される空間Ｓに、上記機能部品が配設されるとともに、上記先端面３１ｂは、閉蓋時において鍵盤４の前端を覆う鍵盤隠し部として作用する。また、上面３１ａ及び下面３１ｃは、それぞれヒンジ部、及び回動支点部３４から、先端面３１ｂに向かうに従って近接しており、前蓋部３１の先端付近の厚さは、ヒンジ部３３及び回動支点部３４付近の厚さよりも小さくなっている。
【００１５】
前蓋部３１はさらに、蓋体３の閉蓋時において、ヒンジ部材３３より内側、つまり下方で後方に位置する回動支点部３４を備えている。回動支点部３４は、嵌合孔３４ａを備えた回転片としての取付板３４Ａで構成されている。また、楽器本体２には、この回動支点部３４を支持する回動装置４０が設けられている。図４に示すように、回動装置４０は、側板８から突出し回転する軸４２と、側板８内に埋め込まれ、軸４２を回動自在に支持する回動支持部４１とを備えており、軸４２は、回転支点部３４の嵌合孔３４ａに嵌合している。この回動装置４０は、軸４２が回動支持部４１内で回動する時に、回動支持部４１内部部材の接触抵抗によって軸４２の回動に抵抗が与え、軸４２の回転動作を緩慢化する機能を有している。
【００１６】
また、前蓋部３１においては、上面３１ａと下面３１ｃとが結合部材３１ｅを用いて相互に間隔をおいて結合されており、上面３１ａ及び下面３１ｃの間において空間Ｓが形成されている。この空間Ｓ内には、機能部品１１としてのスピーカ１１ａ及び楽音パラメータ設定用、自動制御系、演奏支援用等の操作子群等を制御するためのプリント基板等が収納されている。より詳細には、上面３１ａ及び下面３１ｃは、後方へ移行するにしたがって離間しており、前蓋部３１の先端とヒンジ部材３３との間の距離の半分より後方に上記機能部品が配設されている。ただし、これよりも前方に配置することも可能である。なお、前蓋部３１の後端部において上面３１ａ及び下面３１ｃとは、ヒンジ部材３３と回動支点部３４とで規定される厚みまで離間するように構成されている。
【００１７】
機能部品としてのスピーカ１１ａは、下面３１ｃに結合された取付け板３１ｉにビス等により固定され、スピーカ１１ａの振動板（図示せず）は下面３１ｃに対向しており、これにより蓋体３を開いたときに、音響放射方向が演奏者に向くようになっている。また、スピーカ１１ａは、図示を省略するが、接続線によって楽器本体２内の楽音の制御装置に接続され、開蓋時の鍵や操作子の操作に対応して、内蔵スピーカ又は外部スピーカと共に発音する。なお、スピーカの振動板そのものの向きは必ずしも下面に向いている必要はなく、例えば上面３１ａに向けて配置され前蓋部３１内の空間を経て下面３１ｃの側、すなわち、演奏者の側へ音響放射が向けられるようにしてもよい。
【００１８】
上述した下面３１ｃは、閉蓋時において鍵盤４と対向する側に保護部材１２を備えている。この保護部材１２は、開蓋時において機能部品１１を外部の衝撃等から保護するものであり、樹脂や金属で形成した板材で構成することができる。そして、前蓋部３１内部の空間Ｓに設けられた機能部品１１は、保護部材１２に固着させることで、機能部品１１を保護している。このとき、裏蓋である部材１２に、音色効果、自動演奏、演奏補助等のパラメータ設定操作子もしくは液晶表示器、電気部品や鍵スイッチ、あるいはスピーカ、または、これらの各種保持部や基盤等のすべての機能部品を保持させてから、表蓋である上面部材と嵌合保持するように組み立てれば、組立効率も上がる。
【００１９】
また、後蓋部３２の後方には、この後蓋部３２を前後方向に摺動させるための案内機構５０が設けられている。案内機構５０は、天板９のやや下方に設けられており、直接又は他の部材を介して側板８に取り付けられ、略水平に延びる案内溝５１と、案内溝５１から天板上端に通じる導入溝５２を備えている。後蓋部３２の後端部には、係合ピン３２ａを備えた支持板３２Ａが取り付けられており、この係合ピン３２ａは導入溝５２から案内溝５１内に導かれ、案内溝５１中で摺動可能に嵌合されている。
【００２０】
このように、前蓋部３１は、上面３１ａを表蓋、下面３１ｃ及び保護部材１２を裏蓋とする２面蓋で構成され、その内部に機能部品が配設される厚さに形成されているが、後蓋部３２は、機能部品を配設し得ない程度の薄型に形成されている。
【００２１】
なお、このような配置に代えて、案内機構５０及び後蓋部３２における装着部材を逆にし、案内溝５１を後蓋部３２に、係合ピン３２ａを側板８に設けてもよい。また、案内溝５１は、係合部材としての係合ピン３２ａを介して後蓋部３２の移動を案内する種々の経路で形成することができる。例えば、案内する経路を直線状とすれば後蓋部３２の動作範囲も直線状となる。このように、案内する経路を所望の形態にして、動作の合理化や楽器本体のコンパクト化を図ることもできる。
【００２２】
また、本実施形態の電子鍵盤楽器１は楽器本体２の内部に蓋体３の開閉動作を補助するための緩衝機構７０を備えている。この緩衝機構７０は、蓋体３の左右両端部の後方部から延設する係止部７１と、引張りコイルバネ等の弾性部材７２と、棚板５上のピン７３とを備えており、弾性部材７２は、その一端が係止部材７１において係止され、他端がピン７３において係止されている。弾性部材７２は、蓋体３を開いた状態（図２参照）及び閉じた状態（図１参照）において伸び量が大きく、その中間位置（図３参照）においては、伸び量が小さくなるように設けられている。また、楽器本体２内には蓋体３の開蓋時において前蓋部３１及び後蓋部３２を係止するためのストッパ６１，６２が設けられている。
【００２３】
上述のように構成された電子鍵盤楽器１における蓋体３の開閉動作について、図１〜３を参照しつつ説明する。はじめに、図１における閉蓋状態の蓋体３を開く動作について説明する。まず、図３に示すように、前蓋部３１を上方に回動させると、前蓋部３１は回動支点部３４を中心として回動する。このとき、回動支点部３４はヒンジ部材３３より下方に位置するため、前蓋部３１の後端は後方へ移動し、これに連動してヒンジ部材３３によって前蓋部３１と結合された後蓋部３２が後方へ押し出される。これによって、後蓋部３２に取り付けられた係合ピン３２ａが案内溝５１中を後方へ摺動し、後蓋部３２全体が後方へ移動する。この時、後蓋部３２の前端は、前蓋部３１の回動に伴って、後蓋部３２全体を下方へ傾斜させるように移動する。なお、前蓋部３１を開き始める際に、前述の弾性部材７２が前蓋部３１を持ち上げる方向について補助的な引張力を与えるため、比較的小さい力であっても楽に前蓋部３１を上方へ回動させることができる。
【００２４】
蓋体３が完全に開くと、前蓋部３１の上面３１ａ及び後蓋部３２の上面は、それぞれストッパ６１、６２に当接する（図２参照）。蓋体３が完全に開かれる直前においては、弾性部材７２の作用により、蓋体３が開かれる方向に対して逆の方向の引張力が与えられ、これによって、蓋体３が自重によって後方に急に倒れるのが防止される。また、蓋体３が完全に開かれた状態となった際に、後蓋部３２の係合ピン３２ａは、案内溝５１の後端に到達する。
【００２５】
このように、蓋体３の前蓋部３１及び後蓋部３２は、開状態において鍵盤４の上方を開放する位置に後退し、前蓋部３１が後蓋部３２に代わって天板９の前端部付近より下方部分を覆う。この際、前蓋部３１は閉蓋時にヒンジ部材３３よりも内側に位置する回動支点部３４を有しているため、開蓋時には前蓋部３１が楽器本体２の天板９より下方に収まる。これによって、前蓋部３１が開蓋時に天板９の上方に突出することなく、確実に天板９の前端部付近より下方部分を覆う構成をとることができる。
【００２６】
また、開蓋時において前蓋部３１は所定の角度で立設し、その下面３１ｃを演奏者側へ向ける。このとき、前蓋部３１は先端側に行くに従って薄くなるように形成されているため、奥行き方向に大きく傾けて立設することができる。立設する前蓋部３１の傾斜角度きは、機能部品１１として含まれているスピーカ１１ａの音響発生面が、演奏者に対して実質的に垂直をなすような大きさであることが好ましい。この場合、演奏者はスピーカ１１ａからの音を直接かつ正確に聴くことができる。また、機能部品１１として液晶ディスプレイ等の表示部が含まれる場合、前蓋部３１がやや水平面からやや傾いた状態で立設しているため、演奏者は表示部に表示される内容が見やすくなる。同様の理由で、機能部品１１として配設されたスイッチ等の部品の使い勝手も向上する。
【００２７】
一方、蓋体３を閉じる場合は、前蓋部３１を手間に引き寄せるように回動させることによって、前蓋部３１を回動支点部４１を中心に回動させる。このとき、後蓋部３２の係合部３２ａは、案内部材５１に沿って前方に摺動し、後蓋部３２を前方へ導く。なお、蓋体３が楽器本体２に対して完全に閉じる際にも、前述の弾性部材７２が作用し、蓋体３がその重量で急激に閉じないように補助的な引張力を供与する。最終的に蓋体３を完全に閉じると、図１に示す蓋体３が閉じられた電子楽器１の状態となる。この閉蓋状態では、前蓋部３１が先端側に向けて薄く形成されているため、次の利点がある。すなわち、先端が薄いため開蓋時の回転モーメントが小さくなり、前蓋部３１を持ち上げやすくなる。また、電子楽器１の前面が低くなり、電子楽器本体をコンパクトかつデザイン的に優れたものに形成することができる。
【００２８】
以上、説明したように、電子楽器１の前蓋部３１の内部にスピーカ等の機能部品１１を組み込んだ状態であっても、開状態の蓋体３は前蓋部３１が天板９よりも下方に収まり、蓋体３が開蓋時に後方に突出する幅を抑えることができるため、奥行き方向をコンパクトに形成することができる。また、前蓋部３１後方に不要なスペースが形成されないため、閉蓋時において蓋体３が水平となり、外観を損ねることがなくなる。
【００２９】
さらに、電子楽器本体に、緩衝機構７０や回動装置４０によって奏されるダンパ機能を持たせることで、内部に機能部品１１を配設し、その重量を通常よりも大きい前蓋部３１を備えた蓋体３を楽に開閉することができる。この際、蓋体３がその自重によって急激に開方向または閉方向に倒れ込むことも防止できる。
【００３０】
なお、前述の実施形態においては、弾性部材７２が奏するようなダンパ機能を、回動装置４０において持たせることも可能である。すなわち、回動装置４０においては、軸４２が回動支持部４１内で回動する時に、回動支持部４１内部部材の接触抵抗によって軸４２の回動に抵抗を与えるダンパ機能を有している。この回動装置４０のダンパ機能によって、前蓋部３１の回動動作に適切な抵抗を与えることができる。このようなダンパ機能を、前蓋部３１を閉じるときに強く働かせることにより、蓋体３０がその重量で急激に閉じたり開いたりするのを防止することができる。なお、本実施形態では、前蓋部３１がその先端方向に行くに従って薄く形成されており、蓋体３の重量が小さく抑えられているため、後述するダンパ機能が小型のものであっても十分にその機能を発揮することかできる。
【００３１】
弾性部材７２または回動装置４０によるダンパ機能は、閉蓋時においてより強く作用することが好ましい。前述のように閉蓋時に強くダンパ機能を作用させる場合、弾性部材７２の伸び量は閉蓋時と開蓋時において対称ではなくなる。ただし、閉蓋時により強くダンパ機能が作用するように、前述の回動装置４０のダンパ機能を調節してもよく、この場合には、弾性部材の伸び量は閉蓋時と開蓋時において対称としてもよい。すなわち、図３に示すように開蓋時と閉蓋時とでは弾性部材７２の位置がほぼ線対称をなしており、その伸び量もほぼ同じとなる。
【００３２】
また、弾性部材を支持するためのピン７３等の係止部材は、図示のように棚板５に設ける他、側板８や楽器本体２の種々の箇所に直接或いは他の部材を介して設けることができる。
【００３３】
また、蓋体３は、閉状態にあるときに前蓋部３１及び後蓋部３２が側面視において略直線状に並び、前蓋部３１及び後蓋部３２の内、少なくとも後蓋部３２を上に凸の曲面によって略全体を構成し、開状態にあるときに前蓋部３１が後方へ回動して後蓋部３２に接近した位置をとるように構成することができる。このような形態によれば、蓋体３上方の位置から天板９までの範囲が、略直線状に形成され、高さ電子楽器全体の高さを低く抑えることができる。これによって、演奏時に電子楽器に向き合う際に、演奏者が圧迫感を感じることがなくなる。
【００３４】
（第２の実施形態）
次に、本発明に係る電子楽器の第２の実施形態について、図５及び図６を用いて説明する。本実施形態において、前述の第１の実施形態と同一または同様の構成を表す部材については、同じ符号を付して説明を省略するものとする。図５は、電子楽器としての電子鍵盤楽器１が蓋体３を閉じた状態、図６は蓋体３を開いた状態を示している。この実施形態においては、楽器本体２は、天板９の前端から短く垂下した垂れ板１０を備えている。また、この楽器本体２の底部を構成する棚板５からは、下方へ伸びる脚１９が設けられている。
【００３５】
この電子鍵盤楽器１では、蓋集合体としての蓋体３が、ヒンジ部材３３によって回動自在に連結された前蓋部３１及び後蓋部３２とから構成されている。そして、前蓋部３１の内部には、機能部品１１の一例としてのスピーカ１１ａが収納されている（さらに加えて、楽音パラメータ設定用、自動制御系、演奏支援用等の操作子群等を収納するようにしてもよい）。スピーカ１１ａは図外の接続線によりケース内の楽音制御装置に接続され、鍵４等の操作により、図示しない内蔵スピーカ又は外部スピーカと共に発音するようになっている。
【００３６】
この蓋体３は、前蓋部３１が鍵盤４を覆うとともに、後蓋部３２が天板９の下方において楽器本体２の演奏者側の面を覆うように構成されている。後蓋部３２は前方へ斜め下方に延び、後端部の左右両側においてピン２７を備えている。また、後蓋部３２を支持するために、左右両側の側板８に固定された回動支点部３７に各々リンク部材２６が回動自在に支持され、リンク部材２６の自由端に前記ピン２７が回動自在に結合されている。なお、後蓋部３２は、本実施形態においては電子鍵盤楽器１の前板ということもできる。すなわち、アップライトの前板に形態が似ているからである。
【００３７】
この実施形態においては、リンク部材２６と後蓋部３２後端部との結合部であるピン２７が、リンク部材２６の回動支点部３７より上に位置している。これにより、後蓋部３２の後端部を天板９に近い上方位置とすることができ、ケース内の収納スペースの確保が可能になるとともに、外観上も好ましい。もっとも、ピン２７をリンク部材２６の回動支点部３７より下方に位置させることもできる。
【００３８】
後蓋部３２の前端部は、上述したヒンジ部材３３により前蓋部３1の後端部と回動自在に連結されている。そして、このヒンジ部材３３は、前蓋部３１及び後蓋部３２の左右両端部間に亘って連続して延びている。前蓋部３１は、スピーカを収容する厚さを有しており、閉じた状態において後部上端部に前記ヒンジ部材３３が取り付けられ、左右両側における後部下端部を回動支点部３４を介して側板８に回動自在に支持されている（回動支点部３４の側板８への結合は直接でも他の部材を介してでもよい）。
【００３９】
このように、後蓋部３２、リンク部材２６、前蓋部３後部の厚さ方向部分、及び、リンク部材２６のピン２７と前蓋部３１の回動支点部３４とを支持する側板８が、各々リンクを構成する四節回転リンク機構を構成している。これにより、図５に示す閉蓋状態から図６に示す開蓋状態に遷移するにつれて、後蓋部３２が後方に移動し、且つ蓋体３が起立して後蓋部３２の前方へ位置する構成となっている。すなわち、リンク部材２６は、後蓋部３２の動作に関し、後蓋部３２後部の案内部材として機能する。このような案内部材としては、他の種々の機構を採用することができる。例えば、楽器本体又は該本体に取り付けられた部材にレール、溝等のガイド部材を設け、該ガイド部材に沿って摺動するスライダを後蓋部３２後部に装着して構成することもできる。
【００４０】
図６に示すように、前蓋部３１は、開蓋状態で、やや後方へ斜めに傾斜して垂れ板１０で支持され、このときスピーカ１１ａは、演奏者の方に音響放射面を向ける。前蓋部３１は、スピーカ１１ａからの音響放射を妨げないように、布製等のネットや多孔性材料でスピーカを覆う部分が構成される。これにより、演奏者は、楽器本体の後方に設置されたスピーカ又は楽器本体外に設置された外部スピーカから発せられる楽音と同時に、スピーカ１１ａからの楽音を直接的に聴くことができ、楽音を正確に聴き取ることができる。
【００４１】
また、本実施形態においては、開蓋時に蓋体３が水平位置へと下降するのに伴って、後蓋部３２が全体として上昇する。すなわち、前蓋部３１を閉じる時には、前蓋部３１の重心の下降と後蓋部３２の重心の上昇とが打ち消し合うように作用するため、前蓋部３１の下降動作の加速が緩和される。
【００４２】
さらに、図５及び図６に示すように、蓋体３の開閉動作のために、緩衝機構を設けることもできる。この緩衝機構は、コイルバネ等の弾性部材２２を有し、その一端を蓋体３の後部に延設した係止部２３に係止するとともに、その他端を、側板８上のピン２４に係止したものである。これらの配置は、蓋体３を開いた状態及び閉じた状態において、弾性部材２２の伸び量が大きく、その中間位置においては、伸び量が小さくなるように決められる。なお、図６では、蓋体３を開いた状態における弾性部材２２の位置を実線で示すと共に、閉じた状態及び中間位置における弾性部材２２の位置を一点鎖線で示している。
【００４３】
このように、蓋体３を最も開いた状態及び完全に閉じた状態において弾性部材２２による弾性力が大きく作用するので、蓋体はこれら開位置及び閉位置に近づくにつれてその動作と逆向きに大きな弾性力を受ける。その結果、蓋体３が自らの重力により急激に開又は閉の状態に至るのが防止され、開閉動作時に指を挟む等の危険が回避される。緩衝機構としては、図示のようにコイルバネにより引張力を作用させる構成の他、捩りバネを蓋体３の回動軸及びその支持部分に介在させ回転モーメントを開閉動作の逆向きに作用させる等、種々の構成を採用することができる。また、弾性部材を支持するためのピン２４等の係止部材は、図示のように側板８に設ける他、棚板５に設ける等、楽器本体２の種々の箇所に直接或いは他の部材を介して設けることができる。
【００４４】
以上のように、本実施形態においても、機能部品を配設した前蓋部の後端上部に後蓋部を連結し、後蓋部の後端下部に回動支点を設けたため、蓋体が奥行き方向について回動する範囲が小さくなる。従って、第１の実施形態と同様に、電子楽器の奥行きをコンパクトに形成することができる。さらに、蓋体を閉じた状態においても開いた状態においても、蓋体の厚さを示すような端面の見え方がなくなるとともに、蓋体の厚さを受け入れる水平部分を蓋体の後方に設けておく必要がなくなる。これによって蓋体前端と前板との距離がその分短くて済み、外観が損なわれることがないという効果がある。
【００４５】
なお、上記実施形態についても、鍵盤４を覆う鍵盤蓋体としての蓋体３について示したが、鍵盤以外の楽音制御のための操作子を覆う蓋体に上記取付け構造を適用することもできる。
【００４６】
さらに、楽器本体２全体の高さを低く抑えることができるため、演奏者が圧迫感を感じることもなくなる。特に、本実施形態の場合、前板としての後蓋部３２を水平方向に対して直立するように傾斜させた、いわゆるアップライト型の鍵盤楽器の形状に近づけることができるため、鍵盤楽器に高級感が得られる。
【００４７】
なお、本発明は、以上に記載した実施形態に限定されるものではなく、種々の変形が可能である。例えば、前述の実施形態のような電子鍵盤楽器のみならず、発音体を内蔵した蓋体を有する電子楽器全般に適用することが可能である。さらに、前述の緩衝機構としては、図示のように引張りコイルバネにより引張力を作用させる構成の他、捩りバネを前蓋部の回動支点の軸及びその支持部分に介在させ回転モーメントを開閉動作の逆向きに作用させる等、種々の構成を採用することができる。
【図面の簡単な説明】
【００４８】
【図１】本発明の第１の実施形態に係る電子楽器について蓋体を閉じた状態を示す縦断側面図である。
【図２】図１の電子楽器について蓋体を開いた状態を示す縦断側面図である。
【図３】図１の電子楽器について蓋体が開閉の中間位置にある状態を示す縦断側面図である。
【図４】図１の電子楽器の一部について、蓋体を開いた状態を示す平面図である。
【図５】本発明の第２の実施形態に係る電子楽器について蓋体を閉じた状態を示す縦断側面図である。
【図６】図５の電子楽器について蓋体を開いた状態を示す縦断側面図である。
【符号の説明】
【００４９】
１：電子鍵盤楽器、  ２：楽器本体、  ３：蓋体、  ４：鍵盤（演奏操作子）、  ４ａ：白鍵、  ４ｂ：黒鍵、  ５  棚板、    ６：口棒、    ７：背板、    
８：側板、  ９：天板、  １０：垂れ板、  １１：機能部品、  １１ａ：スピーカ、  １２：保護部材、    １３：メインスピーカ、  １４：スピーカボックス、  １９：脚、  ２２：弾性部材、  ２４，２７：ピン、  ２６：リンク部材、  ２２：弾性部材、  ２３：係止部、  ３１：前蓋部（第１蓋構成部材）、  ３１ａ：上面、  ３１ｂ：先端面、  ３１ｃ：下面、  ３１ｅ：結合部材、  ３１ｉ：取付け板、  ３２：後蓋部（第２蓋構成部材）、  ３３：ヒンジ部材、  ３４：回動支点部、  ３４Ａ：取付板、  ３４ａ：嵌合孔、  ３４ａ：嵌合孔、  ４０：回動装置、  ４１：回動支持部、  ４２：軸、  ５０：案内機構、  ５１：案内溝、  ５２：導入溝、  ６１、６２：ストッパ、  ７０：緩衝機構、  ７１：係止部、  ７２：弾性部材、  ７３：ピン、  Ｓ：空間
【図１】
2004302426.tif 000003
【図２】
2004302426.tif 000004
【図３】
2004302426.tif 000005
【図４】
2004302426.tif 000006
【図５】
2004302426.tif 000007
【図６】
2004302426.tif 000008